【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
撮影画面内を複数の測光領域に分割し、各測光領域における被写体の輝度を測光する測光手段と、
前記測光手段での測光に係る測光モードを判定する測光モード判定手段と、
前記測光領域の示す輝度値に対して、当該測光領域の周囲の測光領域の輝度値を加味する演算を行うフィルタ演算手段と、
前記測光モード判定手段により第１の測光モードであると判定された場合、前記フィルタ演算手段による演算結果を用いずに露出値を決定し、前記測光モード判定手段により第２の測光モードであると判定された場合、前記フィルタ演算手段による演算結果を用いて露出値を決定する露出値決定手段と
を有することを特徴とする撮像装置。
【請求項２】
前記被写体に対する前記撮影画面内の測距ポイントでの焦点状態を検出する焦点検出手段を更に有し、
前記露出値決定手段は、前記測光モード判定手段により前記第１の測光モードであると判定された場合、前記フィルタ演算手段による演算結果を用いずに、前記焦点検出手段によって焦点状態を検出した測距ポイントを含む所定の測光領域における輝度値に基づいて前記露出値を決定することを特徴とする請求項１に記載の撮像装置。
【請求項３】
前記露出値決定手段は、前記測光モード判定手段により前記第２の測光モードであると判定された場合、前記フィルタ演算手段による演算結果を用いて、複数の測光領域に重み付け演算をして前記露出値を決定することを特徴とする請求項１または２に記載の撮像装置。
【請求項４】
前記フィルタ演算手段は、前記測光モード判定手段により前記第１の測光モードであると判定された場合には前記演算を行わず、前記測光モード判定手段により前記第２の測光モードであると判定された場合にのみ前記演算を行い、
前記露出値決定手段は、前記測光モード判定手段により前記第２の測光モードであると判定された場合、前記フィルタ演算手段による前記演算を行った後に前記露出値を決定することを特徴とする請求項１ないし３のいずれか１項に記載の撮像装置。
【請求項５】
前記測光手段で測光された前記各測光領域の輝度値を圧縮した値で記憶する記憶手段を更に有し、
前記フィルタ演算手段は、前記記憶手段によって記憶された圧縮した値をリニアな値の輝度値に戻してから前記演算を行い、当該演算結果の値を圧縮した値で出力することを特徴とする請求項１ないし４のいずれか１項に記載の撮像装置。
【請求項６】
前記露出値は、シャッター速度、絞り値およびストロボの発光量に関する値の少なくとも１つであることを特徴とする請求項１ないし５のいずれか１項に記載の撮像装置。
【請求項７】
撮影画面内を複数の測光領域に分割し、各測光領域における被写体の輝度を測光する測光手段を具備する撮像装置の制御方法であって、
前記測光手段での測光に係る測光モードを判定する測光モード判定ステップと、
前記測光領域の示す輝度値に対して、当該測光領域の周囲の測光領域の輝度値を加味する演算を行うフィルタ演算ステップと、
前記測光モード判定ステップにより第１の測光モードであると判定された場合、前記フィルタ演算ステップによる演算結果を用いずに露出値を決定し、前記測光モード判定ステップにより第２の測光モードであると判定された場合、前記フィルタ演算ステップによる演算結果を用いて露出値を決定する露出値決定ステップと
を有することを特徴とする撮像装置の制御方法。
【手続補正２】
【補正対象書類名】明細書
【補正対象項目名】００１１
【補正方法】変更
【補正の内容】
【００１１】
本発明は上述の問題点にかんがみてなされたものであり、撮影シーンに合わせて、適正で且つ応答性のよい露出制御を実現する撮像装置及びその制御方法を提供することを目的とする。
【手続補正３】
【補正対象書類名】明細書
【補正対象項目名】００１２
【補正方法】変更
【補正の内容】
【００１２】
本発明の撮像装置は、撮影画面内を複数の測光領域に分割し、各測光領域における被写体の輝度を測光する測光手段と、前記測光手段での測光に係る測光モードを判定する測光モード判定手段と、前記測光領域の示す輝度値に対して、当該測光領域の周囲の測光領域の輝度値を加味する演算を行うフィルタ演算手段と、前記測光モード判定手段により第１の測光モードであると判定された場合、前記フィルタ演算手段による演算結果を用いずに露出値を決定し、前記測光モード判定手段により第２の測光モードであると判定された場合、前記フィルタ演算手段による演算結果を用いて露出値を決定する露出値決定手段とを有することを特徴とする。
【手続補正４】
【補正対象書類名】明細書
【補正対象項目名】００１３
【補正方法】変更
【補正の内容】
【００１３】
本発明の撮像装置の制御方法は、撮影画面内を複数の測光領域に分割し、各測光領域における被写体の輝度を測光する測光手段を具備する撮像装置の制御方法であって、前記測光手段での測光に係る測光モードを判定する測光モード判定ステップと、前記測光領域の示す輝度値に対して、当該測光領域の周囲の測光領域の輝度値を加味する演算を行うフィルタ演算ステップと、前記測光モード判定ステップにより第１の測光モードであると判定された場合、前記フィルタ演算ステップによる演算結果を用いずに露出値を決定し、前記測光モード判定ステップにより第２の測光モードであると判定された場合、前記フィルタ演算ステップによる演算結果を用いて露出値を決定する露出値決定ステップとを有することを特徴とする。
【手続補正５】
【補正対象書類名】明細書
【補正対象項目名】００１４
【補正方法】変更
【補正の内容】
【００１４】
本発明によれば、撮影シーンに合わせて、適正で且つ応答性のよい露出制御を行うことができる。
【手続補正６】
【補正対象書類名】明細書
【補正対象項目名】００３２
【補正方法】変更
【補正の内容】
【００３２】
焦点検出ラインセンサ２９は、前述したように、撮影画面内の測距ポイントＳＬ、ＳＣ及びＳＲの３点での被写体に対する焦点状態を検出するためのものあり、撮影光学系の２次結像面にペアで各測距ポイントに対応するものである。焦点検出回路１０５は、カメラマイコン１００からの制御信号に従って、これらの焦点検出ラインセンサ２９における蓄積制御と読み出し制御とを行って、それぞれ光電変換された画素情報をカメラマイコン１００に出力する。カメラマイコン１００では、この画素情報をＡ／Ｄ変換して、位相差検出法を用いて焦点検出を行う。カメラマイコン１００は、この焦点検出情報に基づいて、レンズマイコン１１２と信号のやりとりを行ってレンズの焦点調節を行う。
【手続補正７】
【補正対象書類名】明細書
【補正対象項目名】００４５
【補正方法】変更
【補正の内容】
【００４５】
ストロボ部１８内の閃光発光制御用モニタ回路（第１のモニタ回路）２０７は、フォトダイオード等で構成される受光素子３１の出力を対数圧縮して増幅する。ストロボ部１８内の積分回路２０８は、閃光発光制御用モニタ回路（第１のモニタ回路）２０７からの出力を積分するものである。ストロボ部１８内のフラット発光制御用モニタ回路（第２のモニタ回路）２０９は、フォトダイオード等で構成される受光素子３２の出力を増幅する。ストロボ部１８内の記憶媒体２１０は、ＥＥＰＲＯＭ又はフラッシュＲＯＭ等で構成され、前記フラット発光時間等を記憶するものである。ストロボ部１８内のＬＥＤ２１６は、発光可能を示すものである。